(57)【特許請求の範囲】
【請求項１】
レールと、クレーンと、出入端とを含んでなる在庫搬送システムにおいて、少なくとも１以上の前記在庫搬送システムのクレーン交換作業に応用される在庫搬送システムのバックアップ保守装置であって、
前記在庫搬送システムのバックアップ保守装置は、少なくとも１以上の搬送手段を具えてなり、
前記搬送手段は、在庫搬送システム内のメンテナンスまたは修理を要するクレーンを搬出する第１搬送手段と、予備のクレーンを前記在庫搬送システム内にシ搬入する第２搬送手段とによってなり、
前記第１搬送手段と第２搬送手段は、自在に移動できる積載本体と、前記積載本体上に設けられる搬送レールと、複数の隔壁板とよってなり、
前記隔壁板によって前記積載本体の周壁を形成すると共に一面を開口面とし、前記開口面を在庫搬送システムの出入端に連結してクレーンの搬出／搬入を行うことを特徴とする在庫搬送システムのバックアップ保守装置。
【請求項２】
前記隔壁板に少なくとも１以上の空気清浄手段が設けられ、前記搬送手段内の空気の清浄を行うことを特徴とする請求項１に記載の在庫搬送システムのバックアップ保守装置。
【請求項３】
レールと、クレーンと、出入端とを含んでなる少なくとも１以上の在庫搬送システムに応用され、前記在庫搬送システムのクレーンを交換するためのバックアップ保守装置であって、
在庫搬送システム内のメンテナンスまたは修理を要するクレーンを搬出する第１搬送手段と、予備のクレーンを前記在庫搬送システム内に搬入する第２搬送手段とによってなり、
前記第１搬送手段と第２搬送手段は、自在に移動できる積載本体と、前記積載本体上に設けられる搬送レールと、複数の隔壁板とよってなり、
前記隔壁板によって前記積載本体の周壁を形成すると共に一面を開口面とし、前記開口面を在庫搬送システムの出入端に連結してクレーンの搬出／搬入を行うことを特徴とする在庫搬送システムのバックアップ保守装置。
【請求項４】
前記隔壁板に少なくとも１以上の空気清浄手段が設けられ、前記搬送手段内の空気の清浄を行うことを特徴とする請求項３に記載の在庫搬送システムのバックアップ保守装置。
【発明の詳細な説明】
【０００１】
【発明の属する技術分野】
本発明は、在庫搬送システムのクレーンの修理またはメンテナンスに際してクレーンの交換作業を行うための在庫搬送システムのバックアップ保守装置に関する。
【０００２】
【従来の技術】
図１に示す台湾特許公告第４３０６３１号「在庫搬送システム」を参照して従来技術を説明する。この在庫搬送システムは、クレーン４００によってカセト８００を棚７００から取り出し、搬出／搬入ポート５００に搬送する。かかる在庫搬送システムにおいて、前記クレーン４００は極めて重要な搬送作業を行う。よって、クレーン４００が故障して修理を要する場合やメンテナンスを行う場合には、前記在庫搬送システムが運行できなくなり、このため、例えば管理ステーション９０１などの生産設備も休止させなければならなくなる。
【０００３】
但し、上述の技術においては、クレーン４００が故障した場合を想定して適宜な交換手段を設けることが考慮されていない。よって、クレーン４００が故障した場合は、現場で修理またはメンテナンスを行わなければならない。かかる修理またはメンテナンスは通常かなりの時間を要するため、生産設備の休止時間も相対的に長くなり、生産率の低下を招く。
【０００４】
【発明が解決しようとする課題】
本発明は、在庫搬送システムにおいてクレーンに故障が発生した場合や、クレーンのメンテナンスを行う際に、短時間で当該クレーンを交換することができ、生産設備の休止時間を短縮して生産率の低下を最低限に抑えることのできる在庫搬送システムのバックアップ保守装置を提供することを課題とする。
【０００５】
【課題を解決するための手段】
そこで、本発明者は前記課題の解決のために鋭意研究を重ねた結果、複数のレールと、クレーンを積載する積載本体を組み合わせることによって、修理またはメンテナンスを要するクレーンを搬出して、予備のクレーンと入れ替えるための在庫搬送システムのバックアップ保守装置に着目して、本発明を完成するに至った。
【０００６】
即ち、本発明は、搬送レールと、中継搬送レールと、積載本体と、及び中継積載本体を含んでなり、これらを組み合わせることによって、在庫搬送システム内のクレーンを交換することができる。
【０００７】
請求項１に記載の在庫搬送システムのバックアップ保守装置は、レールと、クレーンと、出入端とを含んでなる少なくとも１以上の在庫搬送システムのクレーン交換作業に応用される。前記在庫搬送システムのバックアップ保守装置は、少なくとも１以上の搬送手段を具えてなる。前記搬送手段は、在庫搬送システム内のメンテナンスまたは修理を要するクレーンを搬出する第１搬送手段と、予備のクレーンを前記在庫搬送システム内にシ搬入する第２搬送手段とによってなり、前記第１搬送手段と第２搬送手段は、自在に移動できる積載本体と、前記積載本体上に設けられる搬送レールと、複数の隔壁板とよってなり、前記隔壁板によって前記積載本体の周壁を形成すると共に一面を開口面とし、前記開口面を在庫搬送システムの出入端に連結してクレーンの搬出／搬入できるようにする。
【００１１】
請求項２に記載の在庫搬送システムのバックアップ保守装置は、請求項１における隔壁板に少なくとも１以上の空気清浄手段が設けられ、前記搬送手段内の空気の清浄を行う。
【００１４】
請求項３に記載の在庫搬送システムのバックアップ保守装置は、レールと、クレーンと、出入端とを含んでなる少なくとも１以上の在庫搬送システムに応用され、前記在庫搬送システムのクレーンを交換するためのバックアップ保守装置であって、在庫搬送システム内のメンテナンスまたは修理を要するクレーンを搬出する第１搬送手段と、予備のクレーンを前記在庫搬送システム内に搬入する第２搬送手段とによってなる。前記第１搬送手段と第２搬送手段は、自在に移動できる積載本体と、前記積載本体上に設けられる搬送レールと、複数の隔壁板とよってなり、前記隔壁板によって前記積載本体の周壁を形成すると共に一面を開口面とし、前記開口面を在庫搬送システムの出入端に連結してクレーンの搬出／搬入を行う。
【００１５】
請求項４に記載の在庫搬送システムのバックアップ保守装置は、請求項３における隔壁板に少なくとも１以上の空気清浄手段が設けられ、前記搬送手段内の空気の清浄を行う。
【００１６】
【発明の実施の形態】
本発明は、クレーンを備える在庫搬送システムに応用され、前記クレーンに故障が発生した場合、もしくはクレーンのメンテナンスを行う場合に、短時間内に当該クレーンを交換するための装置であって、少なくとも１以上の搬送手段を具えてなり、前記搬送手段は、少なくとも１以上の搬送レールと積載本体とを含んでなる。
以下、添付図面を参照して、かかる在庫搬送システムのバックアップ保守装置の具体的な実施形態を説明する。
【００１７】
（第１の実施形態）
図２（ａ）に第１の実施形態を示す。
第１の実施形態による在庫搬送システムのバックアップ保守装置２は、４セットの在庫搬送システム３１、３２、３２、３４の間に設けられ、前記４セットの在庫搬送システム３１、３２、３２、３４のクレーンの交換作業を行なうために用いられる。在庫搬送システム３１を例に挙げると、在庫搬送システム３１は、レール３１１と、クレーン３１２と、出入端３１３とによってなり、クレーン３１２は在庫搬送システム３１の中にあって、極めて重要な搬送の作業を担当し、その移動の動作はレール３１１上のみを移動するように制限される。かかる在庫搬送システムに係る具体的な技術説明は、台湾特許公告第４３０６３１号「在庫搬送システム」に係る特許明細書に開示されるので、ここでは詳述しない。
【００１８】
第１の実施形態による在庫搬送システムのバックアップ保守装置２は、第１搬送レール２１と、第２搬送レール２２と、搬送中継搬送レール２３と、第１積載本体２４と、第２積載本体２５と、積載中継本体２６とによってクレーンを搬送する搬送手段を形成する。第１搬送レール２１は両端がそれぞれ在庫搬送システム３１、３２の出入力端３１、３３、２３のレール３１１、３２１に接続されている。同様に前記第２搬送レール２２の両端は、それぞれ在庫搬送システム３３、３４の出入力端のレールに接続されている。
【００１９】
搬送中継搬送レール２３は、前記第１搬送レール２１と第２搬送レール２２とに対して略垂直に交差し、それぞれ第１交差点２３１と、第２交差点２３２とを形成する。
【００２０】
在庫搬送システム３１を例に挙げると、仮にクレーン３１２が故障し修理が必要となった場合、前記クレーン３１２をレール３１１に沿って第１搬送レール２１上に移動する。但し、前記クレーン３１２は体積が大きくかなりの重量があるため、方向を転換させることが難しい。このため、前記第１交差点２３１上に第１積載本体２４を回動自在に設ける。よって、第１搬送レール２１から推し戻された前記修理を要するクレーン３１２を９０°回転させて中継搬送レール２３上に移動させることができる。
【００２１】
図２（ｂ）を参照すると、前記中継搬送レール２３の略中間の位置に中継積載本体２３が回動自在に設けられている。よって、前記修理を要するクレーン３１２が中継搬送レール２３上を移動して中継積載本体２６上に移動すると、９０°回転して延伸レール２７に移動することができる。
【００２２】
図３（ａ）を参照すると、クレーン３１２は、延伸レール２７に沿って修理エリア２８に移動し、作業員は前記修理エリア２８においてクレーン３１２に対して修理またはメンテナンスを行う。
【００２３】
但し、前記在庫搬送システム３１を早急に復旧させ正常な運転に戻すためには、図３（ｂ）ｄに示すように、前記修理エリア２８に予備のクレーン３５２を備えておき、前記在庫搬送システム３１のレール３１１上に移動させる。これにより、前記在庫搬送システムの休止時間を短縮可能となる。即ち、上述のクレーン３１２を修理エリア２８に移動させるステップと逆の手順で行い、前記予備のクレーン３５２を延伸レール２３から中継積載本体２６に移動させて９０°回転させ、中継搬送レール２３を通過させて第１積載本体２４に移動させ、更に９０°回転させて前記予備のクレーン３５２を在庫搬送システム３１のレール３１１上に移動させる。
【００２４】
予備のクレーン３５２は、調整を加えることによって正常に使用することができ、上述のクレーン交換作業は、１〜２時間内に完了させることができる。従って、クレーン３１２の故障にともなう修理の時間、もしくはメンテナンスの時間を大幅に短縮することができる。クレーン交作業を完了させた後、作業員は前記修理エリア２８において、クレーン３１２の修理またはメンテナンスを行う。但し、その他クリーンエリアに対する汚染を防ぐために、前記修理エリア２８は適宜に隔離することが好ましい。
【００２５】
上述のとおり、第１搬送レール２１、中継搬送レール２３、第１積載本体２４、及び中継積載本体２６を組み合わせることによって、在庫搬送システム３１３２のクレーンを交換することができる。また、第２搬送レール２２、中継搬送レール２３、第２積載本体２５、及び中継積載本体２６を組み合わせることによって、在庫搬送システム３１３２のクレーンを交換することができる。よって、本発明によるバックアップ保守装置は、４セットの在庫搬送システム３１、３２、３３及び３４のクレーンに対する交換作業を行うことができる。
【００２６】
（第２の実施形態）
図４（ａ）、（ｂ）に第２の実施形態を示す。
第２の実施形態によるバックアップ保守装置は、第１搬送手段４１と第２搬送手段４２とを含む。図５に示すように、第１搬送手段４１は自在に移動できる台車であって、搬送レール４１１と、積載本体４１２と、複数の隔壁板４１３、４１４等を含んで成る。積載本体４１２上には搬送レール４１１を設けると共に、隔壁板４１３、４１４によって第１搬送手段４１の周壁を形成し、その内の一面を開口面４１６とする。第２搬送手段４２の構造は、前記第１搬送手段４１と同様である。但し、その目的は予備のクレーン５５２を積載本体上に積載するためであって、この点において異なる。
【００２７】
図４（ａ）について説明する。
在庫搬送システム５１を例に挙げると、前記在庫搬送システム５１はレール５１１と、クレーン５１２と、出入端５１３を具える。仮にクレーン５１２が故障し修理が必要となった場合、もしくはメンテナンスが必要になった場合、第１搬送手段４１を在庫搬送システム５１の出入端５１３に移動し、前記第１搬送手段４１の開口面４１６を前記出入端５１３に連結する。前記第１搬送手段４１と、在庫搬送システム５１の出入端５１３には、それぞれ適宜な連結手段（図示しない）を設けて連結に供する。このため在庫搬送システム５１のレール５１１と、搬送手段４１のレール４１１とが連結し、修理またはメンテナンスを要するクレーン５１２をレール５１１からレール４１１に移動させて第１搬送手段４１内に収納することができる。
【００２８】
図４（ｂ）について説明する。
修理またはメンテナンスを要するクレーン５１２を第１搬送手段４１内に収納した後、前記搬送手段４１を移動させ、第２搬送手段４２を在庫搬送システム５１の出入端５１３に移動して連結する。このため在庫搬送システム５１のレール５１１と、第２搬送手段４２のレール４１１とが連結し、第２搬送手段４２内に収納してある予備のクレーン５２２をレール４２１からレール５１１に移動させて、前記在庫搬送システム５１の正常な運行を回復させる。
【００２９】
第２の実施形態による在庫搬送システムのバックアップ保守装置４の設計は、複数の在庫搬送システムによって共有することができ、４セットの在庫搬送システムに限定されることなく実施することができる。即ち、通路６１に面する在庫搬送システム５１、５２などは、いずれもバックアップ保守装置４を応用することができる。また、別のエリアの在庫搬送システム５３、５４は、他の通路の管轄となる。
【００３０】
前記の２台の搬送手段４１、４２は、いずれも隔壁板４１３、４１４を設けることによって、修理を要するクレーン５１２を搬出する場合、もしくは予備のクレーン５５２を搬入する場合、在庫搬送システム５１内の清浄度を保つことができる。更に一歩進んで空気を濾過しようとする場合は、隔壁板に空気清浄手段(Fan Filter Unit)４１７を設けて、前記第１搬送手段４１内の空気の濾過を行い、清浄度を保つようにしてもよい。
【００３１】
以上は、本発明の好ましい実施形態であって、本発明の実施の範囲を限定するものではない。よって、当業者がなしえる変更、もしくは修正であって、本発明に対して均等の効果を有するものは、いずれも本発明の特許請求の範囲に含まれるものとする。
【００３２】
【発明の効果】
本発明によれば、クレーンを用いる在庫搬送システムにおいて、当該クレーンに故障が発生した場合、もしくはクレーンのメンテナンスを行う場合に、短時間内に当該クレーンを交換することができる。このため、クレーンの修理またはメンテナンスのため在庫搬送システムの運行が中断する時間を短縮でき、生産設備を遊ばせるために発生する生産率の低下を最低限に抑えることができる。
【図面の簡単な説明】
【図１】従来の在庫搬送システムの構造を表わす説明図である。
【図２】第１の実施形態による在庫搬送氏システムのバックアップ保守装置の動作を表わす説明図である。
【図３】第１の実施形態による在庫搬送氏システムのバックアップ保守装置の動作を表わす説明図である。
【図４】第２の実施形態による在庫搬送システムのバックアップ保守装置の動作を表わす説明図である。
【図５】第２の実施形態による搬送手段の斜視図である。
【符号の説明】
２…バックアップ保守装置
４…バックアップ保守装置
２１…第１搬送レール
２２…第２搬送レール
２３…中継搬送レール
２４…第１積載本体
２５…第２積載本体
２６…中継積載本体
２７…延伸レール
２８…修理エリア
３１…在庫搬送システム
３２…在庫搬送システム
３３…在庫搬送システム
３４…在庫搬送システム
４１…第１搬送手段
４２…第２搬送手段
５１…在庫搬送システム
５２…在庫搬送システム
５３…在庫搬送システム
５４…在庫搬送システム
６１…通路
６２…通路
２３１…第１交差点
２３２…第２交差点
３１１…レール
３１２…クレーン
３１３…出入端
３２１…レール
３５２…クレーン
４００…クレーン
４１１…搬送レール
４１２…積載本体
４１３…隔壁板
４１４…隔壁板
４１６…開口面
４１７…空気清浄手段
５００…搬出／搬入ポート
５１１…レール
５１２…クレーン
５１３…出入端
５５２…クレーン
７００…棚
８００…カセト
９０１…管理ステーション
【図１】
0004091311.tif 000002
【図２】
0004091311.tif 000003
【図３】
0004091311.tif 000004
【図４】
0004091311.tif 000005
【図５】
0004091311.tif 000006